(57)【要約】【課題】ディスクパブリッシャにおいてストック部に出力済みディスクが数多く滞留するとディスクの検索に時間がかかるなど作業効率が低下する。【解決手段】ストック部３に残存する出力済みのディスクの枚数を枚数検知装置５で検知し、その枚数が所定のしきい値以上となったとき、サーバ７に第１の制御信号を送信する。サーバ７は例えばランプ４５を点灯したりクライアント９Ａ〜９Ｃへディスク取出し要求のメッセージを送信したりする。他の例では、ストック部３に残存する作成済みディスクの作成者を特定して、当該作成者に対してディスクの取出し要求を通知する。【選択図】図１
2007188606.tif 000002
【特許請求の範囲】
【請求項１】
複数のクライアントに接続可能なディスクパブリッシャであって、ストック部に存在する
出力済みディスクの枚数を検知し、該ディスクの枚数が第１のしきい値以上となったとき
、第１の制御信号を出力する枚数検知装置と、
前記第１の制御信号に基づき利用者に第１の通知を行なう通知装置と、
を備える、ディスクパブリッシャ。
【請求項２】
前記通知装置はサーバを備え、該サーバは前記第１の制御信号に基づき該サーバに接続さ
れるクライアントに第１のメッセージを送信する、ことを特徴とする請求項１に記載のデ
ィスクパブリッシャ。
【請求項３】
前記ストック部に存在する出力済みディスクとその作成者を特定する情報を保存する情報
保存装置が更に備えられ、
前記サーバは該情報保存装置に保存された情報を参照し、該出力済みディスクの作成者
のクライアントへ第２のメッセージを送信する、ことを特徴とする請求項２に記載のディ
スクパブリッシャ。
【請求項４】
前記サーバはデータ受送信可能なクライアントに対して第３のメッセージを送信する、こ
とを特徴とする請求項２又は３に記載のディスクパブリッシャ。
【請求項５】
前記サーバは管理者のクライアントに対して第４のメッセージを送信する、ことを特徴と
する請求項２〜４のいずれかに記載のディスクパブリッシャ。
【請求項６】
前記ストック部に存在する出力済みディスクが第２のしきい値以上となったとき、前記枚
数制御手段は第２の制御信号を出力し、前記通知手段は該第２の制御信号に基づき第２の
通知を前記利用者に行なう、ことを特徴とする請求項１〜５のいずれかに記載のディスク
パブリッシャ。
【請求項７】
ディスクパブリッシャの起動時及び／又は終了時に前記第２のしきい値として１枚が設定
される、ことを特徴とする請求項６に記載のディスクパブリッシャ。
【発明の詳細な説明】
【技術分野】
【０００１】
この発明はディスクパブリッシャに関する。
【背景技術】
【０００２】
ディスクパブリッシャには複数の未記録ディスク（ＣＤ−ＲやＤＶＤ−Ｒなど）が予め
準備されており、ユーザの命令に応じてこの未記録ディスクを情報書込み用ドライブへ挿
入して当該未記録ディスクの情報記録面へディジタル情報を書き込む。当該書込み処理が
終了したディスクはドライブから取出されてストックされる。以上の一連の動作は自動的
に行なわれる。
またこのディスクパブリッシャにはディスクのレーベル面へ印刷を施す機能を有するも
のもある。
このように、要求されるディスク処理のスループットに応じてディスクパブリッシャに
は複数の情報書込み用ドライブが設置されている。
以上、ディスクパブリッシャの従来例として特許文献１を参照されたい。
【特許文献１】特開２０００−２６０１７２号公報
【発明の開示】
【発明が解決しようとする課題】
【０００３】
かかるディスクパブリッシャはコンピュータネットワークにおいて複数のユーザ（クラ
イアント）によって共有されることが多い。従って、ディスクパブリッシャに対して同時
に多量の処理要求がなされる場合がある。情報の書込み処理の終了したディスクはストッ
ク部に積上げられていくので、ストック部に滞留する出力済みのディスクが多くなると、
ユーザがその中から自身で作成したディスクを探し出すのに時間がかかり、作業効率が低
下する。
また、ディスクパブリッシャはそのストック部の容量を超えてディスクを処理すること
が出来ない。換言すれば、処理済みディスクがストック部をオーバーフローする前に、デ
ィスクパブリッシャは自動的に停止する。
【課題を解決するための手段】
【０００４】
この発明は上記課題を解決すべくなされたものであり、その第１の局面は次のように規
定される。即ち、
複数のクライアントに接続可能なディスクパブリッシャであって、ストック部に存在す
る出力済みディスクの枚数を検知し、該ディスクの枚数が第１のしきい値以上となったと
き、第１の制御信号を出力する枚数検知装置と、
前記第１の制御信号に基づき利用者に通知を行なう通知装置と、
を備える、ディスクパブリッシャ。
【０００５】
このように構成されたディスクパブリッシャによれば、ストック部に滞留するディスク
の枚数が検知されて、その枚数が所定のしきい値（第１のしきい値）以上となったとき、
利用者にその旨が通知される。通知の方法は特に限定されるものではないが、この発明の
第２の局面で規定されるように、通知装置にサーバを備えさせてこのサーバからクライア
ントへ第１のメッセージを送信することが好ましい。メッセージ形式とすることにより、
ストック部におけるディスクの枚数が第１のしきい値以上となったこと、即ちストック数
が多くなりすぎていることを具体的に利用者に知らせることができる。
なお、メッセージを送信するには例えばメールをクライアントへ送信する。メール以外
にも、クライアントのコンピュータの画面にポップアップ形式で当該メッセージを表示さ
せることができる。
通知の方法は電子情報の送受信に限定されるものではなく、パトランプ等のランプを点
滅させたり、警報音を発生したりするなど物理的な方法を採用することもできる。
【０００６】
この発明の第３の局面は次のように規定される。即ち、
第２の局面の発明のディスクパブリッシャにおいて、前記ストック部に存在する出力済
みディスクとその作成者を特定する情報を保存する情報保存装置が更に備えられ、
前記サーバは該情報保存装置に保存された情報を参照し、該出力済みディスクの作成者
のクライアントへ第２のメッセージを送信する。
このように構成された第３の局面のディスクパブリッシャによれば、ストック部に存在
するディスクの作成者が特定され、当該作成者のクライアントコンピュータへのみストッ
ク部に多量のディスクが滞留している旨の第２のメッセージが送信される。従って、ディ
スクがストックされていない利用者には当該第２のメッセージが送信されない。これによ
り、不要な情報発信を省きつつ、ディスクパブリッシャの状態をより正確に利用者へ知ら
せることができる。
【０００７】
この発明の第４の局面は次のように規定される。即ち、
第２又は第３の局面に記載のディスクパブリッシャにおいて、前記サーバはデータ受送
信可能なクライアントに対して第３のメッセージを送信する。
このように構成された第４の局面のディスクパブリッシャによれば、ストック部におけ
るディスクの枚数がしきい値を超えたときにサーバに連結されてデータの送受信が可能な
クライアント、即ちこのときに稼働中のクライアントに対して第３のメッセージを送信す
る。この第３のメッセージは例えば、ストック部から緊急にディスク取出しを要求するも
のであり、この場合は稼働中のクライアントへ送信することにより効果があるからである
。停止中のクライアントへメッセージを送っても、そこにはディスク作成者（または利用
者）がいないので、緊急事態に対応できないからである。
【０００８】
この発明の第５の局面は次のように規定される。即ち、
既述の第２〜第４の局面のいずれかのディスクパブリッシャにおいて、前記サーバは管
理者のクライアントに対して第４のメッセージを送信する。
このように構成された第５の局面のディスクパブリッシャによれば、管理者に特定の第
４のメッセージを送信することにより、ストック部の状態を管理者へ確実に通知すること
ができる。第４のメッセージの内容として、ストック部に滞留しているディスクの作成者
のリスト及び枚数などが挙げられる。
【０００９】
この発明の第６の局面は次のように規定される。即ち、
既述の第１〜第５の局面のいずれかのディスクパブリッシャにおいて、前記ストック部
に存在する出力済みディスクが第２のしきい値以上となったとき、前記枚数制御手段は第
２の制御信号を出力し、前記通知手段は該第２の制御信号に基づき第２の通知を前記利用
者に行なう、ことを特徴とする請求項１〜５のいずれかに記載のディスクパブリッシャ。
このように構成された第６の局面のディスクパブリッシャによれば、ストック部におけ
るディスク枚数が第２のしきい値以上となったとき、第２の通知が利用者に行なわれるこ
ととなる。第２の通知は第１の通知に従属してこれをサポート乃至バックアップするもの
でもよいし、また第１の通知とは全く独立していてもよい。
前者の例として、ストック部における容量枚数の１００％を第２のしきい値として、デ
ィスク枚数が満杯になったとき第２の通知が出されるようにすることができる。
【００１０】
また、後者の例として、第７の局面に示すとおり、第２のしきい値として１枚を設定し
、この第２のしきい値はディスクパブリッシャの起動時及び／又は終了時に有効に機能す
るようにすることができる。即ち、ディスクパブリッシャの起動時及び／又は終了時に、
ストック部に１枚でもディスクが残っていると、利用者に第２の通知がなされることとな
る。この第２の通知の例として「ストック部にディスクが存在する」旨のメッセージを送
信すること、また音声若しくは光などの物理的な通知方法を採用することもできる。
起動時及び終了時にはストック部にディスクが存在しないことを標準作業とした場合に
、この第２の通知は当該標準作業を逸脱した異常状態を顕現化することができる。
【発明を実施するための最良の形態】
【００１１】
以下、この発明を構成する各要素について説明をする。
ディスクパブリッシャは、未記録ディスク（ＣＤ−ＲやＤＶＤ−Ｒなど）を保持するデ
ィスク供給部、未記録ディスクの情報記録面へディジタル情報を記録するドライブ、記録
されたディスクを保存するストック部及びディスクの搬送機構を備えてなる。更には、デ
ィスクのレーベル面へ印刷を施すレーベル印刷部を備えることもできる。
ストック部に存在するディスクの枚数は、ストック部に対するディスクの入量とストッ
ク部からのディスクの出量をモニタリングして両者の差分をとることにより、検知するこ
とが出来る。このように演算して得られたストック部のディスク枚数と第１のしきい値で
指定される枚数とが比較されることとなる。
また、ストック部において実際に積層されているディスクの枚数を、その積層高さなど
に基づき特定することもできる。この場合、しきい値枚数に対応した高さに光学センサを
セットし、当該光学センサがストック部に積層されたディスクを検知したときに、ディス
クの枚数がしきい値以上となったと判断される。
【００１２】
第１のしきい値は特に限定されるものではないが、例えば、ストック部の容量の６０〜
９０％とすることが好ましい。ストック部に滞留するディスクの量が多くなるとその取出
しに手間がかかるからである。また、多量の処理要求がきたときにストック部がオーバー
フローを起こすおそれもある。
ストック部のディスク量が第１のしきい値を超えたときに出力される第１の通知はディ
スクパブリッシャの用途、目的等に応じて任意に設定することができる。この第１の通知
はストック部に多量のディスクが滞留していることのアラームを主目的とする。
【００１３】
作成者のクライアントからディスクパブリッシャへの処理要求とストック部からの取出
しの履歴を記録することにより、ストック部に存在する出力済みのディスクとその作成者
を特定することができる。これにより、ストック部に滞留しているディスクの作成者のみ
に第２のメッセージを送信して、その取出し要求を行なうことができる。
緊急を要するときは、ディスクパブリッシャに接続されてデータの受送信が可能なクラ
イアント（オン状態のクライアント）を選択し、当該クライアントへのみ取出し要求のメ
ッセージ（第３のメッセージ）を送信することができる。
管理者にも、ストック部に存在する出力済みのディスクとその作成者を第４のメッセー
ジとして送信することができる。
【実施例】
【００１４】
以下、この発明を実施例に基づき更に詳細に説明する。
（第１実施例）
図１は第１の実施例のディスクパブリッシャ１の概略構成図である。
このディスクパブリッシャ１は書込み処理の施されたディスクのストック部３を備え、
ストック部３に存在するディスクの枚数は枚数検知装置５により検知されて第１の制御信
号が形成される。この第１の制御信号はディスクパブリッシャに組み込まれたサーバ７へ
送られる。サーバ７は第１の制御信号に応じてディスクパブリッシャ１の利用者９Ａ〜９
Ｃに所定の通知を行なう。
【００１５】
ディスクパブリッシャ１の詳細構成を図２及び図３に示す。
図２はディスクパブリッシャの本体２０を示す。未記録ディスクＣＤはディスク供給部
２１に積層保持されており、この未記録ディスクＣＤはトランスファー装置２３により取
出される。トランスファー装置２３はクランパ２４により未記録ディスクＣＤを着脱可能
とする。未記録ディスクＣＤは書込みドライブ２５−１〜２５−３のいずれかへ挿入され
、その情報記録面へディジタル情報が書込まれる。書込み処理の終了したディスクは書込
みドライブから取出されて、レーベルプリンタ２７へ挿入され、そのレーベル面へ印刷が
施される。
レーベル印刷が終了したディスクはストック部２９へ積層される。ストック部２９には
蓋部３１が付設されており、書込み処理終了後のディスクの不正取出しを防止している。
【００１６】
ディスクパブリッシャの制御系を図３に示す。
制御部４０はＣＰＵを備え、プログラム保存部５１に保存されている制御プログラムに
従い各要素を制御する。
カードリーダ４１へ利用者のＩＤカードが通される。カードリーダ４１よりＩＤカード
に保存されている情報が読み出されてその利用者が特定される。特定された利用者が作成
したディスクがストック部２９に存在する場合、当該ディスクがストック部２９より取出
される。
ランプ４５は第１の制御信号に応じて点灯（若しくは点滅）する。これにより、ストッ
ク部２９における作成済みディスクの枚数が第１のしきい値を超えたとき、ランプ４５が
点灯して、作成済みディスクの滞留量が多くなった旨を利用者全員に知らせる。
【００１７】
符号４７はネットワークインターフェースであり、管理者用のＰＣからなるクライアン
ト１０、ディスク作成用のクライアント９Ａ〜９Ｎが接続されている。
保存部５０はプログラム保存部５１を備え、このプログラム保存部５１には制御部４０
のＣＰＵを動作させる制御プログラムが保存されている。
しきい値保存部５２には第１のしきい値と第２のしきい値が保存されている。この実施
例では第１のしきい値として、ストック部２９にストック可能な最大枚数の６０％の枚数
を採用している。第２のしきい値として１枚を採用している。
メッセージ保存部５４にはクライアントへ送信する各種のメッセージが保存されている
。
【００１８】
次に、この実施例のディスクパブリッシャの動作について図４を参照しながら説明する
。
ステップ１では、ストック部２９に滞留している作成済みディスクの枚数を特定する。
この実施例では、表１のようにディスクの作成及びその取出し履歴が記録されて処理履歴
保存部５３に保存されている。
【表１】
2007188606.tif 000003
【００１９】
表１においては作成者により取出された日時も記録されている。更には、管理者が強制
的にストック部２９からディスクを取出したか否か及び管理者が取出したときにはその日
時も記録される。
そして、処理ディスクの通算枚数（＝処理ディスクＮｏ．）より当該処理ディスクＮｏ
．までの作成者取出枚数（ΣＹ）及び管理者取出枚数（ΣＹ）を減算すると、ストック部
２９に残存するディスクの枚数が特定される。表１の右端欄を参照されたい。
【００２０】
ステップ３ではストック部２９に存在する作成済みディスクの枚数ｍと第１のしきい値
ＭＴ１とを比較する。この実施例ではストック部２９のディスク容量が５０枚であるので
、ストック部２９における作成済みディスクの残存枚数がその８０％（＝４０枚）となっ
たとき、第１の制御信号が生成される。しきい値の値は入力部４３を介して任意に設定可
能である。
この第１の制御信号により、ランプ４５が点灯する（ステップ５）。更には、第１の制
御信号に応じた第１のメッセージがメッセージ保存部５４から読み出されて、利用者用の
クライアント９Ａ〜９Ｎへメールとして発信される（ステップ７）。第１のメッセージは
利用者全員に作成済みディスクの取出しを要求するものである。
【００２１】
ディスク作成者である利用者がストック部２９よりディスクを取出すときには、作成者
のＩＤを特定できるカードをカードリーダ４１に読取らせる。例えば、表１において作成
者ＡがそのＩＤカードをカードリーダ４１へ通すと、制御部４０は処理履歴保存部５３に
保存されている表１の関係を参照し、作成者がＡであり、作成者取出及び管理者取出がい
ずれも「Ｎ」であるディスクＮｏ．を抽出する。当該ディスクは、ストック部２９に存在
するディスクの上から数えて、該当するディスクの残存枚数の値「ｍ」番目に存在する。
この状態で、入力部４３を介して取出確認コマンドが入力されたとき、蓋部３１を開放
して、トランスファー装置２３により当該上からｍ番目のディスクを取出すこととなる。
【００２２】
（第２実施例）
図５に他の実施例のディスクパブリッシャの概略構成を示す。図５において図１と同一
の要素には同一の要素を付してその説明を省略する。
この実施例では情報保存装置８を備えており、当該情報保存装置８には例えば既述の表
１の関係が保存されている。当該表１の関係から、ストック部に残存する作成済みディス
クの作成者が特定される。特定された作成者に対して第２のメッセージが送信される。他
方、管理者には特定された作成者とその枚数が第４のメッセージとして送信される。管理
者には表１のデータを提供するようにしてもよい。
【００２３】
第２の実施例のディスクパブリッシャの動作について図６のフローチャートに従い更に
詳細に説明する。図６において、図４と同一の動作を行なう部分には説明の便宜上同一の
符号が付してある。
ステップ１１では、処理履歴保存部５３に保存されている表１の関係を参照して、ストッ
ク部２９に残存するディスクの作成者を特定し、また、作成者毎の残存枚数もカウントす
る。そして、ステップ１３において特定された作成者のみに第２のメッセージをメール形
式で発信し、作成済みディスクの取出し要求を行なう。表１の例において、作成者Ｃはス
トック部２９から自身で作成したディスクの全てを取出しているので、当該作成者Ｃには
第２のメッセージは送信されない。
なお、図６において、第１のメッセージの送信（ステップ７）はこれを省略可能である
。
【００２４】
このとき、クライアントの画面にポップアップ形式で第３のメッセージを表示させるこ
とにより、その緊急性を利用者に知らしめることができる。ポップアップ表示を採用する
場合には、ディスクパブリッシャとデータの受送信が可能であるクライアント（即ち、オ
ン状態のクライアント）のみに当該第３のメッセージが送信されることとなる。
【００２５】
この実施例ではまた、管理者のクライアント１０にメール形式の第４のメッセージを送
信する（ステップ１５）。第４のメッセージには、ストック部２９に滞留しているディス
クの作成者及びその作成枚数が含まれている。これにより、管理者は作成者に対して個別
に指示を出すことができることとなる。
【００２６】
（第３実施例）
他の実施例におけるディスクパブリッシャの動作を図７のフローチャートを参照して説
明する。なお、ディスクパブリッシャの構成は図２及び図３に示したものと同一である。
また、図７において図６と同一の動作を示すステップには同一の符号を付してその説明を
省略する。
図７において、ディスクパブリッシャが起動されると（ステップ２０）、ストック部２
９に存在する作成済みディスクの枚数ｍが特定される。当該残存枚数が１枚（第２のしき
い値）以上のとき、ステップ２３において繰越しディスクの存在を通知する。通知の方法
は特に限定されないが、繰越されたディスクの作成者を、表１の関係を参照して、特定し
、特定された作成者及び管理者へメールの形式で繰越しディスクの存在を通知することが
できる。
【００２７】
この実施例ではまた、ディスクパブリッシャを終了させる際に（ステップ２７）、スト
ック部２９に作成済みディスクの枚数ｍが１枚（第２のしきい値）以上存在するとき、未
取出しディスクの存在を通知する（ステップ２９、ステップ３１）。ここに、通知の方法
は特に限定されないが、未取出しのディスクの作成者を、表１の関係を参照して、特定し
、当該特定された作成者と管理者へメールの形式で未取出しディスクの存在を通知するこ
とができる。
【００２８】
この発明は、上記発明の実施の形態及び実施例の説明に何ら限定されるものではない。
特許請求の範囲の記載を逸脱せず、当業者が容易に想到できる範囲で種々の変形態様もこ
の発明に含まれる。
【図面の簡単な説明】
【００２９】
【図１】図１はこの発明の第１の実施例のディスクパブリッシャの概略構成を示す。
【図２】図２は同じくディスクパブリッシャ本体の正面図である。
【図３】図３は同じくディスクパブリッシャの制御系を説明するためのブロック図である。
【図４】図４は第１の実施例のディスクパブリッシャの動作を示すフローチャートである。
【図５】図５はこの発明の第２の実施例のディスクパブリッシャの概略構成を示す。
【図６】図６は同じく第２の実施例のディスクパブリッシャの動作を示すフローチャートである。
【図７】図７はこの発明の第３の実施例のディスクパブリッシャの動作を示すフローチャートである。
【符号の説明】
【００３０】
１  ディスパブリッシャ、  ３，２９  ストック部、  ５  枚数検知装置、  ７  サーバ
、  ９Ａ，９Ｂ，９Ｃ  利用者用クライアント、  １０  管理者用クライアント、  ２０
ディスクパブリッシャ本体、  ２１  ディスク供給部、  ２３  トランスファー装置、
２９  ストック部、  ４０  制御部
【図１】
2007188606.tif 000004
【図２】
2007188606.tif 000005
【図３】
2007188606.tif 000006
【図４】
2007188606.tif 000007
【図５】
2007188606.tif 000008
【図６】
2007188606.tif 000009
【図７】
2007188606.tif 000010